(57)【要約】【課題】体幹上部へのズレを効果的に防止し、腰椎と骨盤を一体的に固定可能でありながら、外観性のよい医療用コルセットを提供する。【解決手段】主に腰部をホールドする腰部固定帯２と、主に骨盤をホールドする骨盤固定帯５とを一体的に備え、骨盤固定帯３を腰部固定帯２に対して、生理的骨盤傾斜角θに対応して腰腹部方向に２０〜３０°傾斜して設ける。【選択図】  図２
2004209050.tif 000002
【特許請求の範囲】
【請求項１】
少なくとも一部分に伸縮部を含む帯状体からなり、人体の腰背部から腰腹部にかけて装着される腰部固定帯と、上記腰背部から上記腰腹部にかけて人体の骨盤傾斜角に沿ってほぼ平行に装着される骨盤固定帯とを備えることを特徴とする医療用コルセット。
【請求項２】
上記骨盤固定帯の上記傾斜角は、上記体幹軸を基軸として上記腰腹部方向に２０〜３０°前傾に設定されている請求項１に記載の医療用コルセット。
【請求項３】
上記腰部固定帯と上記骨盤固定帯とは、それらのほぼ中央部分が一体的に縫着されている請求項１または２に記載の医療用コルセット。
【請求項４】
上記腰部固定帯には、上記腰背部に沿ってあてがわれる補強板が設けられている請求項１ないし３のいずれか１項に記載の医療用コルセット。
【発明の詳細な説明】
【０００１】
【発明の属する技術分野】
本発明は、腰部周辺を正常姿勢で固定するための医療コルセットに関し、さらに詳しく言えば、安定した装着姿勢を保ちつつ、装着後の体幹上部へのズレを防止することができる医療用コルセットに関する。
【０００２】
【従来の技術】
腰椎捻挫などの腰部疾患を患った際、腰椎を正常な姿勢に維持しておくため、腰に医療用コルセットを装着することがよくある。図５にその一例を示す。この医療用コルセット１は、人体Ｈの腰回りに沿って十分に巻回可能な長さを備える帯状態からなる腰部固定帯２を有し、この腰部固定帯２は中央に配置された背当て部２１と、背当て部の２１の両端から延設されるベルト部２３ａ、２３ｂとが伸縮部２２ａ、２２ｂを介して一体的に縫着されている。
【０００３】
ベルト部２３ａ、２３ｂの外面には、この医療用コルセット１を巻いて保持しておくための係止手段４の一方をなすループ面ファスナー４１が設けられており、ベルト部２３ａ、２３ｂのいずれか一方の内面先端（この場合、ベルト部２３ｂ側）には、ループ面ファスナー４１に係合されるフック面ファスナー４２が設けられいる。
【０００４】
また、この医療用コルセット１には、装着時に締付けをより強固にするための補助ベルト３が設けられている。補助ベルト３は、背当て部２１の両側からループ面ファスナー４１に沿って延設された一対の補助フラップ３１，３２を備え、補助フラップ３１，３２の内面には、ループ面ファスナー４１、４１に係合されるフック面ファスナー３３，３４が設けられている。
【０００５】
この医療用コルセット１を使用するに当たっては、背当て部２１をその長手方向中央と人体Ｈの体幹軸Ｌ１とがほぼ同軸上になるように配置し、両側のベルト部２３ａ、２３ｂを引っ張りながら腰腹部に引き回し、体幹軸Ｌ１に対してベルト部２３ａ、２３ｂの長手方向Ｌ２が直交するように人体Ｈに巻き付けた後、ベルト部２３ｂのフック面ファスナー４２をベルト部２３ａ外周に設けられたループ面ファスナー４１に係合させる。
【０００６】
このようにして、コルセット本体を人体Ｈに巻き付けた後、この場合はさらに締付を強固にするため、補助フラップ３１，３２を腰側面側に引っ張り出し、その両端のフック面ファスナー３３，３４をベルト部２３ａ、２３ｂのループ面ファスナー４１、４１に係合させることにより、より確実に締め付けることができる。
【０００７】
この医療用コルセット１の装着によれば、次のようなの効果が得られる。
（１）腰背部および腰腹部をベルトで締め付けることで、腹腔内圧を上昇させ、脊椎や腰椎への加重負担を軽減させることができる。
（２）医療用コルセットを装着することで、腰部疾患者であることを認識させ、急激な動きや前屈み、ねじり運動などを意識的に抑制させることができる。
（３）腰痛をかばうことによって生じる他の体幹筋に係る筋疲労が軽減できる。
【０００８】
【発明が解決しようとする課題】
しかしながら、従来の医療用コルセットにも、次のような解決すべき課題が残されていた。
〔１〕人体は、腰部から腹部にかけてくびれているため、歩行などの動きによって体幹上部へずれやすい。
〔２〕〔１〕を解決する手段として、より幅広のベルトを用いることが考えられるが、ベルトを幅広にすると腹部までも締め付けてしまい窮屈となる。また、腹部の締付けによって胸郭が締まり、相対的に腰部の締付けが緩みやすくなる。
〔３〕骨盤とコルセットとの一体感がなく、コルセットの下縁が骨盤上部に当たり痛みや不快感を生じ、就寝などの妨げとなる。
〔４〕肥満体など腹部が張り出している場合、腰椎が大きく反り返り、腹部が突出するため、安定した腰部固定および保護が困難である。
〔５〕もっぱら、腰部固定および保護を重視した相似形であるため、装着時の外観性が悪く、スーツやスカートなどを着た際に縁が張り出すなど、日常生活を行う上で支障をきたすおそれがある。
【０００９】
そこで、本発明は上述した課題を解決するためになされたものであって、その目的は、体幹上部へのズレを効果的に防止し、腰椎と骨盤を一体的に固定可能でありながら、外観性のよい医療用コルセットを提供することにある。
【００１０】
【課題を解決するための手段】
上述した目的を達成するため、本発明は少なくとも一部分に伸縮部を含む帯状体からなり、人体の腰背部から腰腹部にかけて装着される腰部固定帯と、上記腰背部から上記腰腹部にかけて人体の骨盤傾斜角に沿ってほぼ平行に装着される骨盤固定帯とを備えることを特徴としている。
【００１１】
これによれば、腰回りに沿って角度の違うベルトが２重に巻回されることとなり、一方の腰部固定帯が主に腰部周辺を締め付けて腹腔内圧を上昇させ、他方の骨盤固定帯が主に骨盤を固定するため、安定姿勢を維持しつつ、上部へのズレを効果的に防止することができる。
【００１２】
上記骨盤固定帯の上記傾斜角は、上記体幹軸を基軸として上記腰腹部方向に２０〜３０°前傾に設定されていることが好ましい。
【００１３】
上記腰部固定帯と上記骨盤固定帯とは、それらのほぼ中央部分が一体的に縫着されている。これによれば、腰部を主に保護する腰部固定帯と、骨盤を主に保護する骨盤固定帯とをそれぞれ同軸的に一体に形成したことで、ズレなどの安定性を損なうことなく、外観性もよくすることができる。
【００１４】
より強固に腰背部を保護するために、上記腰部固定帯には、上記腰背部に沿ってあてがわれる補強板が設けられていることが好ましい。補強板としては、例えばアルミニウムなどの金属片や、硬質合成樹脂などが例示される。
【００１５】
【発明の実施の形態】
次に、本発明の実施形態について図面を参照しながら説明する。図１は、本発明の一実施形態に係る医療用コルセットの使用状態と、その軸関係を模式的に示した斜視図であり、図２および図３は、この医療用コルセットを背面側（腰背面側）および前面側（腰腹面側）から見た正面図である。なお、上述した図５に示す従来例と同一もしくは同一と見なされる箇所には、同じ参照符号を引用した。
【００１６】
この医療用コルセット１０は、それぞれ人体Ｈの腰回りに沿って巻回される帯状体からなり、主に腰部を保護する腰部固定帯２と、主に骨盤を保護する骨盤固定帯５とを備えている。
【００１７】
図１（ｂ）に示すように、腰部固定帯２は体幹軸Ｌ１を基軸として、体幹軸Ｌ１に対して直交する軸線Ｌ２（長手方向軸線）に沿って腰背部（図１（ｂ）では、右側）から腰腹部（図１（ｂ）では左側）にかけて巻回されている。
【００１８】
骨盤固定帯３は、体幹軸Ｌ１を基軸として腰部固定帯２の軸線Ｌ２からθ°前傾した傾斜角（骨盤傾斜角）に沿ってほぼ平行に腰背部（図１（ｂ）では、右側）から腰腹部（図１（ｂ）では左側）にかけて巻回されている。
【００１９】
図２および図３に示すように、腰部固定帯２は、腰背部のほぼ全面を覆うよう矩形状に形成された背当て部２１と、同背当て部２１の両端から一体的に延設された伸縮部２２ａ、２２ｂと、各伸縮部２２ａ、２２ｂの自由端側から延設されたベルト部２３ａ、２３ｂとを備えている。
【００２０】
腰部固定帯２は、伸縮部２２ａ、２２ｂおよびベルト部２３ａ、２３ｂの下縁側が上縁方向に向けてえぐられており、全体が中央から両端に向かうにつれ、その幅が徐々に減少するように形成されている。
【００２１】
この実施形態において、背当て部２１は非伸縮性の布材からなり、人体Ｈの腰背部にあてがわれる。この背当て部２１内には、例えばアルミニウム板などの板状片からなる１対の補強板２４ａ、２４ｂが、体幹軸Ｌ１に沿って線対称に設けられており、この補強板２４ａ、２４ｂによって腰を伸ばした状態が維持できるようになっている。なお、背当て部２１は伸縮性を有する布材であってもよい。
【００２２】
伸縮部２２ａ、２２ｂは、例えばゴム糸などをメッシュ状に織り込んで伸縮性を持たせた布材からなり、一端が上記背当て部２１に縫着され、他端側は各ベルト部２３ａ、２３ｂにそれぞれ縫着されている。
【００２３】
この実施形態において、伸縮部２２ａ、２２ｂは、伸縮性の他に通気性も良好なメッシュ布を用いているが、これ以外に伸縮性を有するものであれば特に限定されずに適宜選択可能である。
【００２４】
ベルト部２３ａ、２３ｂは、上述した背当て部２１と同じく非伸縮性の布材からなり、図３に示すように、ベルト部２３ｂの外面（反人体Ｈ接触面）側には、係止手段４の一方をなすループ面ファスナー４１が設けられており、ベルト部２３ａの内面（被人体Ｈ接触面）側の先端には、係止手段４の他方をなすフック面ファスナー４２が設けられている。
【００２５】
この実施形態において、ループ面ファスナー４１およびフック面ファスナー４２は、一方のベルト部２３ａに設けられているが、他方のベルト部２３ｂに設けられていてもよい。また、係止手段４は、ループ＆フックタイプの面ファスナーを用いているが、これ以外にベルトを固定可能な手段があれば、適宜選択して使用してもよい。
【００２６】
骨盤固定帯５は、図３に示すように腰部固定帯２の背当て部２１の中央から体幹軸Ｌ１を軸線として左右対称に形成された１対の骨盤ベルト５１ａ、５１ｂを備え、各骨盤ベルト５１ａ、５１ｂは、上縁（軸線Ｌ３）が腰部固定帯２の体幹軸Ｌ１に対して直交する軸線Ｌ２に対してθ°、腰腹部方向に傾斜するように設けられている。
【００２７】
骨盤ベルト５１ａ、５１ｂは、上述した伸縮部２２ａ、２２ｂと同じく例えばゴム糸などをメッシュ状に織り込んで伸縮性を持たせ、さらに摩擦係数の低い布材からなり、この実施形態において、骨盤ベルト５１ｂの外面には、係止用のループ面ファスナー５２が一様に形成され、骨盤ベルト５１ａの内面の先端には、ループ面ファスナー５２に対して係止されるフック面ファスナー５３が設けられている。
【００２８】
この実施形態において、各骨盤ベルト５１ａ、５１ｂは、上記傾斜角度θが２０〜３０°の範囲内になるように設定されている。この角度θは、骨盤の生理的な前傾傾斜角（以下、骨盤傾斜角とする）に対応する角度であり、これによれば、骨盤ベルト５１ａ、５１ｂが骨盤の周りを取り囲むようにして腰回りに装着される。
【００２９】
次に、この医療用コルセット１０の装着手順について説明する。まず、図２や図３の状態となるよう腰部固定帯２および骨盤固定帯５をそれぞれ展開しておき、この状態で腰部固定帯の２の背当て部２１を腰背部のほぼ中央にあてがいつつ、両端を手でもって腰腹面側に引っ張り出す。
【００３０】
このとき、伸縮部２２ａ、２２ｂを若干伸張した状態にしつつ、ベルト部２３ｂを腰腹面に押し当て、次にベルト部２３ａのフック面ファスナー４２をベルト部２３ｂのループ面ファスナー４１に押し当て、各ベルト部２３ａ、２３ｂ同士を係止させることにより、腰部固定帯２を人体Ｈに装着する。
【００３１】
装着された腰部固定帯２は、その幅広な形状と補強板２４ａ、２４ｂなどによる硬さによって腹部を適度に圧迫して腹腔内圧を高め、腰椎などを安定した状態で支持することができる。
【００３２】
腰部固定帯２を装着した後、今度は骨盤固定帯５を装着する。骨盤固定帯５は、上述したようにその中央部分が腰部固定帯２の背当て部２１に一体的に取り付けられており、骨盤ベルト５１ａ、５１ｂの両端を手で把持し、伸縮部分を伸張させながら腰腹部に引っ張り出し、ループ面ファスナー５２およびフック面ファスナー５３と互いに係止させることにより、骨盤周縁を一体的にホールドする。
【００３３】
これによれば、骨盤固定帯５は、あらかじめ骨盤傾斜角に沿って傾けられており、装着後の引張応力が骨盤傾斜角に沿って発生するため、骨盤は常に生理的前傾である２０〜３０°傾いた安定姿勢でホールドされ、医療用コルセット１０が体幹上部へのズレを効果的に防止できる。
【００３４】
また、腰部固定帯２および骨盤固定帯５の２本のベルトを使って腰部全体をホールドするようにしたことで、コルセットと人体表面との間の隙間を最小限にすることができ、装着感が良好でありながら、外観的にも目立ちにくくなる。
【００３５】
次に、図４（ａ）および（ｂ）に医療用コルセット１０ａの変形例を示す。この医療用コルセット１０ａは、上述した実施形態と同じく腰部固定帯２および骨盤固定帯５とを備え、骨盤固定帯５が骨盤傾斜角に沿って所定角度に傾斜されている。
【００３６】
この変形例において、腰部固定帯２は、中央に幅広の伸縮部２１を有し、その両端から非伸縮性のベルト部２３ａ，２３ｂが延設されている。この例において、腰部固定帯２は、全体が中央から両端に向かうにつれて徐々に幅が減少するように形成されており、人体Ｈの胴回りに沿ってフィットしやすいように湾曲されている。この湾曲の曲率については、仕様に応じて任意に設定可能である。
【００３７】
骨盤固定帯５は、中央に幅広の骨盤ベルト５１ｃ，５１ｄを有し、その両端から非伸縮性のベルト部５４，５５が一体的に延設されており、腰部固定体２と同じく中央から先端に向かうにつれて徐々に幅が減少するように湾曲されている。
【００３８】
この例において、ベルト部５４，５５は、それぞれ上述した実施形態のループ面ファスナー５２およびフック面ファスナー５３が一体的に形成されており、両端が互いに係合可能になっている。
【００３９】
この変形例によれば、各固定帯２，５は、ぞれぞれ体表面にフィットしやすいように湾曲され、しかも先端に向かうにつれて幅が徐々に減少しているため、老人などの体力的に負担が大きい患者であっても、無理なく装着することができ、しかも長時間装着していても疲れない。このような変形例も本発明に含まれる。
【００４０】
本発明は、主に腰部をホールドする腰部固定帯２と、主に骨盤をホールドする骨盤固定帯５とをそれぞれ別に設けたことにあり、この基本的構成を備えていれば、ベルト素材の変更や位置などの各種変形例も本発明に含まれる。また、腰部固定帯２と骨盤固定帯５とを前後に入れ替えてもよい。
【００４１】
さらに、骨盤固定帯５は腰部固定帯２に対して一体的に逢着されている必要はなく、面ファスナーによって着脱可能であったり、腰部固定帯２側にベルトホール状のものを形成しておき、これに骨盤固定帯５を挿通するなどしてもよく、このような態様も本発明に含まれる。
【００４２】
【発明の効果】
以上説明したように、本発明によれば、腰部を専用にホールドする腰部固定帯と、骨盤傾斜角に沿って骨盤を専用にホールドする骨盤固定帯とをそれぞれ別に設けたことにより、腰部固定帯によって腹腔内圧を適度に上昇させつつ、骨盤固定帯によって骨盤全体をホールドするようにでき、その医療的作用はもとより、コルセットの体幹上部へのズレを解消でき、快適な装着感および外観性が得られる。
【図面の簡単な説明】
【図１】本発明の一実施形態に係る医療用コルセットの取付状態と、その軸関係を示した斜視図。
【図２】上記実施形態の医療用コルセットを腰背面側から見た背面図。
【図３】上記実施形態の医療用コルセットを腰腹面側からみた正面図。
【図４】上記医療用コルセットの変形例を腰背部側および要腹部側からみた正面図。
【図５】従来の医療用コルセットを腰背面側から見た背面図。
【符号の説明】
１，１０  医療用コルセット
２  腰部固定帯
２１  背当て部
２２ａ、２２ｂ  伸縮部
２３ａ、２３ｂ  ベルト部
３  補助ベルト
４  係止手段
４１  ループ面ファスナー
４２  フック面ファスナー
５  骨盤固定帯
５１ａ、５１ｂ  骨盤ベルト
Ｈ  人体
Ｌ１  体幹軸
Ｌ２  長手方向軸
Ｌ３  骨盤傾斜角
【図１】
2004209050.tif 000003
【図２】
2004209050.tif 000004
【図３】
2004209050.tif 000005
【図４】
2004209050.tif 000006
【図５】
2004209050.tif 000007